(57)【要約】      （修正有）【課題】マイクロ型ＳＤメモリカードを標準的ＳＤメモリカードの挿入スロットに挿入接続し、マイクロ型ＳＤメモリカードの信号を転換して伝送する作用が達成されるマイクロ型ＳＤメモリカードの適配器を提供する。【解決手段】上蓋１、下蓋２、導電片３、ロックばね４及び複写防止つまみ５を備え、上蓋１と下蓋２を組み合わせるとＳＤメモリカードの外観と同じ仕様、サイズのカートリッジを構築することができ、導電片３の一端はカートリッジのＳＤメモリカードに組み付けられ、他端はカートリッジ内に突き出してＳＤメモリカードの各接続口と対応する形態に配列する。マイクロ型ＳＤメモリカードがカートリッジスロット内に挿入されると、マイクロ型ＳＤメモリカードがロックばね４の押し当てを受けてカートリッジスロット内でのカードの保持力が確保される。【選択図】図１
0003102860.tif 000002
【実用新案登録請求の範囲】
【請求項１】
マイクロ型ＳＤメモリカードの適配器であって、上蓋と、下蓋と、複数枚の導電片とを含む部材から構成され、
上蓋は、概して矩形に表れかつ末端縁辺が凹入に表れる蓋であり、蓋内側前端縁部に複数個の嵌め溝が設けられ、
下蓋は、上蓋と互いに対応する矩形に表れる蓋であり、蓋内側の前端縁部に複数個のリブ及びポートが設けられ、
導電片はプレスによって成型されたシートであり、導電片は前端部の接触エリアと、中央部のブリッジエリアと、末端部のばねとの三区段から構成され、各導電片の接触エリア及びブリッジエリアは合わせて上蓋の複数個のスロット内に対応して嵌め付けられ、
各導電片を対応させて上蓋に設け、下蓋のリブを導電片のブリッジエリアに押し当て、かつ上蓋及び下蓋を高周波融合によって組合せ、標準的ＳＤメモリカードの外観と同じ仕様及びサイズのカートリッジに形成し、カートリッジの内部をマイクロ型ＳＤメモリカードの外形と同じ仕様及びサイズにすることにより、マイクロ型ＳＤメモリカードの挿入接続に供される適配器を構成することを特徴とするマイクロ型ＳＤメモリカードの適配器。
【請求項２】
上蓋の所定位置には定位置溝及び切口が設けられていることを特徴とする請求項１に記載のマイクロ型ＳＤメモリカードの適配器。
【請求項３】
定位置溝中にはロックばねが設けられ、ロックばねの末端はカートリッジスロット内に突き出してマイクロ型ＳＤメモリカードを当て押すことを特徴とする請求項２に記載のマイクロ型ＳＤメモリカードの適配器。
【請求項４】
切口内縁には可動に複写防止つまみが設けられ、その複写防止つまみは上蓋の切口部に於いてスライド可能であることを特徴とする請求項２に記載のマイクロ型ＳＤメモリカードの適配器。
【請求項５】
上蓋の内側面周縁部には複数の突起筋が設けられ、下蓋の上蓋に対応する突起筋個所には複数の凹溝が設けられ、突起筋および凹溝は対応して適配可能であることを特徴とする請求項１に記載のマイクロ型ＳＤメモリカードの適配器。
【請求項６】
下蓋の各ポートは標準的ＳＤメモリカードの接続口の仕様、サイズ及び数量に合わせて設置されることを特徴とする請求項１に記載のマイクロ型ＳＤメモリカードの適配器。
【考案の詳細な説明】
【技術分野】
【０００１】
本考案はマイクロ型ＳＤメモリカードの適配器の設計に関し、特にマイクロ型ＳＤメモリカードを標準的ＳＤメモリカードの挿入スロットに転じて挿入接続できる適配器の構造設計に関するものである。
【背景技術】
【０００２】
現在、ＳＤカード業界の団体であるアメリカＳＤ協会（SD Associ- ation）が市場に送り出したマイクロ型ＳＤメモリカードの電気標準は標準的ＳＤメモリカードと同じ許容性を持っているが、それの外形、サイズ及び接続口の形状は標準的ＳＤメモリカードと違う。かつ標準的ＳＤメモリカードは市販されてすでに長年たち、この仕様に許容する多くの３C製品の市場占有率はかなり高い。そこで、新しい仕様のマイクロ型ＳＤメモリカードを共同に伝統的ＳＤメモリカードの挿入スロットを持つ製品に適用させるため、本考案の考案者はこの分野に長年従事した経験を生かし、心をこめて研究設計した結果、ついに本考案「マイクロ型ＳＤメモリカードの適配器」を創り出すことができた。
【考案の開示】
【考案が解決しようとする課題】
【０００３】
本考案の主な目的は、新しい仕様で設計されたマイクロ型ＳＤメモリカードを、適配器構造内部の導電片の作用により、並びに適配器前端の接続ポートを通じて標準的ＳＤメモリカードの挿入スロットに挿入接続し、更に進んでマイクロ型ＳＤメモリカードの信号を転換して伝送する作用が達成されるマイクロ型ＳＤメモリカードの適配器を提供することにある。
【課題を解決するための手段】
【０００４】
本考案のマイクロ型ＳＤメモリカードの適配器は主として上蓋、下蓋、導電片、ロックばね、写し防止つまみ等を含む部品から構成され、その上蓋と下蓋を組み合わせるとＳＤメモリカードの外観と同じ仕様、サイズであるカートリッジを構築することができ、導電片の一端はカートリッジのＳＤメモリカードに組み付けられ、他端はカートリッジ内に突き出してＳＤメモリカードの各接続口と対応する形態に配列する。これにより、マイクロ型ＳＤメモリカードを標準的ＳＤメモリカードのスロットへの挿入に供される適配器を構成することができる。
【０００５】
更に、上蓋及び下蓋が組み付けられ連結されるカートリッジのカートリッジスロット内の選定個所にはロックばねが設けられ、マイクロ型ＳＤメモリカードがカートリッジスロット内に挿入されると、マイクロ型ＳＤメモリカードがロックばねの押し当てを受けてカートリッジスロット内でのカードの保持力が確保される。
【考案を実施するための最良の形態】
【０００６】
図１に示す如く、本考案の一実施例による「マイクロ型ＳＤメモリカードの適配器」の構造設計は、主として上蓋１、下蓋２、複数枚の導電片３、ロックばね４、複写防止つまみ５等を含む部材から構成される。
上蓋１は、概して矩形の蓋であり、蓋の末端縁辺は凹入した形に表れ、図２に示すように蓋内側の前端縁部には複数個の嵌め溝１１が設けられ、蓋の傍側選定個所には定位置溝１２及び切口１３が設けられ、かつ蓋内側面の周縁部には数本の突起筋１４が設けられている。
【０００７】
下蓋２は、上蓋と互いに対応する矩形に表れる蓋であり、蓋の末端縁辺は凹入した形態であり、蓋内側の前端部には複数個のリブ２１と、標準的ＳＤメモリカード接続口の仕様、サイズ、数量によって成型された若干のポート２２とがあり、かつ蓋内側面の周縁部には数本の凹溝２３が設けられている。
【０００８】
導電片３は、プレスによって成型されたシートであり、導電片３は前端部の接触エリア３１、中央部のブリッジエリア３２及び末端部のばね３３の三区段から構成され、各導電片３の接触エリア３１及びブリッジエリア３２は合わせて上蓋１の複数個のスロット１１内に対応して嵌め付けられる。
【０００９】
ロックばね４は、概してＬ型にプレスされたばねであり、主にマイクロ型ＳＤメモリカード２０が適配器に於いて適当な定位置効果が得られることを提供し、ロックばね４は上蓋１の定位置溝１２によって嵌め付け定位置される。
複写防止つまみ５は、可動に上蓋１の切口１３内縁に設けられ、上蓋１の切口１３部に於いてスライドすることができ、適配器は標準的ＳＤメモリカードの挿入スロット内の複写防止測知スイッチと互いに感知制御することができる。
【００１０】
図３に示す如く、上記部材を使用し、各導電片３、ロックばね４及び複写防止つまみ５を対応して上蓋１に組み付け、下蓋２のリブ２１を導電片３のブリッジエリア３２に当て押し（図４及び図５に示す如く）、かつ上蓋１と下蓋２の突起筋１４と凹溝２３を互いに嵌め付け結合してから高周波によって融合すると、上蓋１と下蓋２は組み合わせられて伝統的ＳＤメモリカードの外観と同じ仕様、サイズのカートリッジ１０を構成し、かつカートリッジ１０の内部にはマイクロ型ＳＤメモリカード２０の外形と同じ仕様、サイズのカートリッジスロット１０１が構築される。こうすればマイクロ型ＳＤメモリカード２０の挿入接続に供される標準的ＳＤメモリカードの適配器を構成することができる（図６及び図７に示す如く）。
【００１１】
上記導電片３をカートリッジ１０に組み込むと（図４に示す如く）、導電片前端部の接触エリア３１は下蓋２のポート２２よりカートリッジ１０から露出し、各導電片３の接触エリア３１は標準的ＳＤメモリカードの各接続口に対応する配列状態に形成される。また、各導電片３末端部のばね３３はカートリッジスロット１０１内に突き出し、並びにマイクロ型ＳＤメモリカード２０の各接続口と対応する形態に配列され、マイクロ型ＳＤメモリカード２０がカートリッジスロット１０１内に挿入されると、導電片３のばね３３はマイクロ型ＳＤメモリカードの各接続口と互いに弾性接触して導通する。こうなれば、図８に示す如く、マイクロ型ＳＤメモリカード２０はカートリッジスロット１０１に挿入され、それに記憶されている情報は各導電片３のばね３３によって各導電片３の接触エリア３１に伝送され、カートリッジ１０が標準的ＳＤメモリカードの挿入スロットに合わせて挿入接続されると、そのマイクロ型ＳＤメモリカード２０に記憶されている情報は本実施例の適配器によって転じて伝送される。
【００１２】
また、マイクロ型ＳＤメモリカード２０がカートリッジ１０のカートリッジスロット１０１に挿入されると、マイクロ型ＳＤメモリカード２０はカートリッジスロット１０１内に突き出しているロックばね３によって当て押さえられ、カードのカートリッジスロット１０１内における保持力が確保され、カートリッジスロット１０１から脱出する恐れがない。
【００１３】
更に、本実施例の「マイクロ型ＳＤメモリカードの適配器」の構造設計は（図６及び図７に示す如く）、そのマイクロ型ＳＤメモリカード２０をカートリッジスロット１０１内に挿入する保持力がロックばね３の当て押しによって供給される。したがって、マイクロ型ＳＤメモリカード２０を取り出す場合、それの上蓋１と下蓋２の末端縁部が内側に凹入した形態を利用し、マイクロ型ＳＤメモリカード２０がカートリッジスロット１０１内にあるとそれの末端部が上蓋１と下蓋２の末端から露出するため、使用者はその凹入部よりマイクロ型ＳＤメモリカード２０をカートリッジスロット１０１からスムーズに引き出すことができる。
【００１４】
この他、本実施例の適配器の構造特徴は標準的ＳＤメモリカードの仕様構造を模擬してなり、マイクロ型ＳＤメモリカード２０の転用に於いては標準的ＳＤメモリカードと同じであるので、カートリッジ１０傍側選定個所（上蓋１の対応した切口１３個所）に複写防止つまみ５を設置し、適配器を実際に操作使用する場合はその複写防止つまみ５のスライド位置によって、標準的ＳＤメモリカードの挿入スロット内の複写防止感知スイッチと感知制御し、マイクロ型ＳＤメモリカード２０内に記憶されている情報が変動されることを制御する。
【図面の簡単な説明】
【００１５】
【図１】本考案の一実施例によるマイクロ型ＳＤメモリカードの適配器を示す分解立体図である。
【図２】本考案の一実施例によるマイクロ型ＳＤメモリカードの適配器の上蓋を示す立体図である。
【図３】本考案の一実施例によるマイクロ型ＳＤメモリカードの適配器の局部を示す分解立体図である。
【図４】本考案の一実施例によるマイクロ型ＳＤメモリカードの適配器を示す断面図である。
【図５】本考案の一実施例によるマイクロ型ＳＤメモリカードの適配器の局部を示す断面図である。
【図６】本考案の一実施例によるマイクロ型ＳＤメモリカードの適配器を示す立体図である。
【図７】本考案の一実施例によるマイクロ型ＳＤメモリカードの適配器を示す別の視角からの立体図である。
【図８】本考案の一実施例によるマイクロ型ＳＤメモリカードの適配器をマイクロ型ＳＤメモリカードに合わせる使用状態を示す分解図である。
【符号の説明】
【００１６】
１  上蓋、２  下蓋、３  導電片、４  ロックばね、５  写し防止つまみ、１０  カートリッジ、１１  嵌め溝、１２  定位置溝、１３  切口、１４  突起筋、２０  マイクロ型ＳＤメモリカード、２１  リブ、２２  ポート、２３  凹溝、３１  接触エリア、３２  ブリッジエリア、３３  ばね、１０１  カートリッジスロット
【図１】
0003102860.tif 000003
【図２】
0003102860.tif 000004
【図３】
0003102860.tif 000005
【図４】
0003102860.tif 000006
【図５】
0003102860.tif 000007
【図６】
0003102860.tif 000008
【図７】
0003102860.tif 000009
【図８】
0003102860.tif 000010